(57)【要約】【課題】炎天下でも必要期間にわたって接ぎ木の機能を維持可能にする。【解決手段】接ぎ木具を、適度な弾性を有するプラスチック、例えば、ＥＶＡで射出成形した円筒形の筒形体１Ａとし、その一側に、筒形体１Ａの外周面２から内周面３に達する上下方向の割れ目１１を形成し、全体として断面視略Ｃ形状にして構成し、特に、断面視略Ｃ形状の外周円２１と内周円３１の中心点を異ならせて、割れ目１１の一側に向かう２辺が先細る構造を備えさせ、先細る２辺である先端部４の厚みｗよりも、それ以外の部分の厚みを太く形成して基部５で最大厚Ｗとなる構造を有するようにした。【選択図】図１
2014023464.tif 000002
【特許請求の範囲】
【請求項１】
略円筒形状の弾性プラスチックの一側に、上下方向の割れ目を形成して構成した断面視略Ｃ形状を含む接ぎ木具であって、
前記断面視略Ｃ形状の外周と内周の中心点を異ならせ、前記割れ目の一側に向かう２辺を先細る構造とした、
ことを特徴とする接ぎ木具。
【請求項２】
前記断面視略Ｃ形状の外周が楕円又は卵形の形状である、
ことを特徴とする請求項１に記載の接ぎ木具。
【発明の詳細な説明】
【技術分野】
【０００１】
この発明は、キウリ、メロン、スイカ等の瓜類、その他ナス、トマトなどの幼苗を接ぎ木するのに適用される接ぎ木具に関する。
【背景技術】
【０００２】
キウリ、メロン、スイカ等の瓜類の苗（穂木）は、連作障害を防ぐため、南瓜、夕顔等の苗（台木）に接ぎ木して育てる。このような接ぎ木に適用される従来の接ぎ木具として例えば、図６に示すような接ぎ木具が知られている。
【０００３】
図６に示す接ぎ木具は、上下方向の割れ目１１を一側に有するプラスチック樹脂の筒形体１００からなる。筒形体１００は接ぎ木した幼苗が生長して太るにつれ、上下方向の割れ目１１が拡がるので、幼苗の生育を阻害しない。そして、遂には拡がりきって幼苗から外れるので、活着後に取外す手数を不要とすることができ、便宜である。
【０００４】
また、下記特許文献１には、上下方向の割れ目を一側に有するプラスチック樹脂の筒形体であって、その樹脂として分解性プラスチックを用いた接木支持具に係る発明が提案されている。この発明では、素材が分解性プラスチックであるために、幼苗から外れた後に、地表或いは地中で自然に分解するとされる。
【先行技術文献】
【特許文献】
【０００５】
【特許文献１】特開平７−１６３２３７号公報
【発明の概要】
【発明が解決しようとする課題】
【０００６】
接ぎ木具は、真夏でも一般に用いられるため、野外の炎天下で、又はビニールハウス内のかなりの高温下において所定の期間にわたり、台木と穂木との活着面を支持して接ぎ木する機能を維持する必要がある。しかしながら、上記特許文献１に提案されている接ぎ木具をはじめ、図６に示す接ぎ木具等を含めて従来のものは、図７に示すように、外周面２を形成する外周円の中心と、内周面３を形成する内周円の中心が一致し、その厚みｗ１が均一な円筒形状であるので、高温の下で樹脂が軟化すると、台木と穂木との活着面を支持するのに十分な強度を維持することができなくなって、台木と穂木の活着面が外れ（離れ）たり、抜け出したりし、接ぎ木の作業に問題が生じている。また、熱帯地域で用いる場合にも、その暑い気候から同様の問題が生じるため、高温による樹脂の軟化を防ぐ対策が求められている。
【０００７】
本発明は、上記実情に鑑み提案され、野外の炎天下で、又はビニールハウス内の高温の下においても、更には熱帯の気候の下でも適用することができ、台木と穂木とを支持するのに十分な強度を維持することが可能な接ぎ木具を提供することを目的とする。
【課題を解決するための手段】
【０００８】
上記課題を解決するために、本発明は、略円筒形状の弾性プラスチックの一側に、上下方向の割れ目を形成して構成した断面視略Ｃ形状を含む接ぎ木具であって、前記断面視略Ｃ形状の外周と内周の中心点を異ならせ、前記割れ目の一側に向かう２辺を先細る構造としたことを特徴とする。また、本発明に係る接ぎ木具は、上記断面視略Ｃ形状の外周が楕円又は卵形の形状であることを特徴とする。
【発明の効果】
【０００９】
本発明では、上下方向の割れ目を一側に形成して略円筒形状の弾性プラスチックの断面視略Ｃ形状を形成するにあたり、外周と内周の中心点を異ならせることで、断面視略Ｃ形状の割れ目の一側に向かう２辺を先細る構造として接ぎ木具を構成した。すなわち、本発明は、外周と内周の中心点が異なることにより、先細る２辺である先端部以外の断面視略Ｃ形状部分を、幅太にして構成した接ぎ木具である。したがって、野外の炎天下、又はビニールハウス内の高温の下、熱帯の気候の下等で樹脂が軟化しても、幅太とした部分によってその影響を吸収することができ、全体として台木と穂木とを支持するのに十分な強度を維持することが可能な接ぎ木具として提供することができる。
【００１０】
さらに、断面視略Ｃ形状の外周を楕円又は卵形の形状とすることにより、割れ目に向けて先細る２辺と、その他の幅太とした部分との厚みの差を大きくすることができる。したがって、幅太とした部分による強度向上とともに、先細る先端部が拡がりきって、幼苗から外れる際の外れやすさが強調される構成とすることができる。そうすると、高温の下で台木と穂木とを支持するのに十分な強度を維持するという本発明の目的とともに、幼苗の生育を阻害しないで接ぎ木するという接ぎ木具の本来の目的にも沿った接ぎ木具を提供することができる。
【図面の簡単な説明】
【００１１】
【図１】本発明に係る一の実施形態における接ぎ木具の斜視図である。
【図２】図１のＩＩ−ＩＩ断面図である。
【図３】本発明に係る他の実施形態における接ぎ木具の斜視図である。
【図４】図３のＩＶ−ＩＶ断面図である。
【図５】本発明に係る一の実施形態において、被挟持部を付加して構成した接ぎ木具（変形実施例）の斜視図である。
【図６】従来例を示す接ぎ木具の斜視図である。
【図７】図６のＶＩ−ＶＩ断面図である。
【発明を実施するための形態】
【００１２】
以下、本発明に係る接ぎ木具に関し、いくつかの実施形態を図面に基づいて説明する。以下に説明する一の実施形態及び他の実施形態は、本発明の構成を具現化した例示に過ぎず、特許請求の範囲に記載した事項を逸脱することがなければ種々の設計変更を行うことができる。なお、図６及び図７に従来例として示した接ぎ木具と同一又は相当部分には、同一符号を付して説明を省略する。
【００１３】
一の実施形態における接ぎ木具は、図１に示す通り、適度な弾性を有するプラスチックである例えば、ＥＶＡで射出成形した略円筒形状の筒状体１Ａであって、その一側に、筒形体１の外周面２から内周面３に達する上下方向の割れ目１１が形成されて構成され、全体として断面視略Ｃ形状を有している。
【００１４】
特に、筒状体１Ａは、断面視略Ｃ形状の外周円２１と内周円３１の中心点を異ならせて構成され、割れ目１１の一側に向かう２辺の先端部４が先細る構造を有している。すなわち、筒状体１Ａは、外周円２１の中心点２Ｃと内周円３１の中心点３Ｃが異なることにより、図２に示すように、先細る先端部４の厚みｗよりも、それ以外の部分が厚く（すなわち幅太にして）形成され、基部５で最大厚Ｗとなる構造を有する構成である。
【００１５】
このような構成により、一の実施形態では、野外の炎天下、又はビニールハウス内の高温の下、熱帯の気候の下等で作物に適用し、接ぎ木の作業のために放置する期間中に樹脂が軟化しても、断面視略Ｃ形状において最大厚Ｗの基部５を含んだ幅太部分でその影響を吸収することができ、全体として円筒形状を維持することができる。そして、筒状体１Ａの全体で台木と穂木との活着面を支持するのに十分な強度を維持することを可能にしている。なお、その影響を吸収するとは、軟化して溶け出しても、幅太部分の樹脂の厚みが薄くなる程度に収まることをいう。
【００１６】
他の実施形態における接ぎ木具は、図３に示す通り、適度な弾性を有するプラスチックである例えば、ＥＶＡで射出成形した略円筒形状の筒状体１Ｂであって、断面視略Ｃ形状を形成する外周面２の外周円２１の形状が断面視楕円とされている点において一の実施形態と異なる構成である。
【００１７】
したがって、断面視略Ｃ形状の外周円２１と内周円３１の中心点が異なり、割れ目１１の一側に向かう２辺が先細る構造を有する。筒状体１Ｂは、外周円２１の中心点（重心となる点）２Ｃと内周円３１の中心点３Ｃが異なることにより、図４に示すように、先細る先端部４の厚みｗよりも、それ以外の部分が幅太にして形成され、基部５で最大厚Ｗとなる構造を有する構成である。
【００１８】
特に、筒状体１Ｂは、外周円２１の形状が楕円であることにより、割れ目１１に向けて先細る先端部４の２辺の厚みｗと、その他の幅太とした部分との厚みの差、特に最大厚Ｗとなる基部５の厚みとの差が大きくなっている（図２及び図４を対比して参照すること。）。したがって、基部５を含む幅太とした部分による強度向上とともに、先細る先端部４が拡がりきって、幼苗から外れる際の外れやすさが強調される構成となる。
【００１９】
このような構成により、他の実施形態においても、野外の炎天下、又はビニールハウス内の高温の下、熱帯の気候の下等で作物に適用し、放置期間中に樹脂が軟化しても、断面視略Ｃ形状において最大厚Ｗの基部５を含んだ幅太部分でその影響を吸収することができ、全体として台木と穂木との活着面を支持するのに十分な強度を維持することができる。特に、基部５を含んだ幅太とした部分による強度向上とともに、先細る先端部４が拡がりきって幼苗から外れる際の外れやすさが強調され、高温の下での強度維持とともに、幼苗の生育を阻害しないで接ぎ木することに最適な接ぎ木具として提案することができる。
【００２０】
ここで、一の実施形態及び他の実施形態において、先端部４が軟化しても、これによって筒状体１Ａ，１Ｂ全体の強度への影響はわずかで済む。なぜなら、先端部４は幼苗の生長によって、いずれ外れる箇所であるからである。むしろ、本発明の構成により、先端部４以外の部分が幅太になることで、全体として従来比で強度向上する。例えば、先端部の厚みを従来の先端部の厚みと同程度とすれば、その強度が向上するのは明らかである。
【００２１】
また、本発明は、その成形手段が断面視略Ｃ形状の外周円２１の中心点２Ｃと内周円３１の中心点３Ｃを異ならせることを要するのみであるので、これによって先細る先端部４と幅太の基部５を形成することができ、特別な手段が必要となることがない。
【００２２】
なお、本発明に係る接ぎ木具は、一の実施形態及び他の実施形態のほか、断面視略Ｃ形状とし、断面視略Ｃ形状の外周と内周の中心点を異ならせて、割れ目の一側に向かう２辺を先細る構造とする限り、卵形をはじめ様々な断面視略Ｃ形状の筒状体により構成することができる。
【００２３】
以下、本発明に係る接ぎ木具を使用した接ぎ木の作業を簡単に説明する。
【００２４】
まず、上部を斜めに切断して除いた台木の上端部を、筒形体１Ａ，１Ｂの内周の下半部に収容する。このとき、台木の上端の斜めの切口の傾斜した上端部（または下端部）を、筒形体１の割れ目１１又は基部５のどちらかに向けておく。次に、下部を斜めに切断して除いた穂木の下端部を筒形体１Ａ，１Ｂの上から挿入する。このときも、穂木の下端の斜めの切口の傾斜した下端部（又は上端部）を、台木と同様に割れ目１１又は基部５に向けておくことが好ましい。そして、台木の上端の斜めの切口と、穂木の下端の斜めの切口とを、筒形体１Ａ，１Ｂの内周にて相補的に対面させて活着させる。その後は、この状態で接ぎ木される間、放置すればよい。
【００２５】
そして、本発明に係る接ぎ木具では放置期間中に、野外の炎天下、又はビニールハウス内の高温の下、熱帯の気候の下等で作物に適用したために樹脂が軟化しても、断面視略Ｃ形状において最大厚みＷの基部５を含んだ幅太部分でその影響を吸収することができ、筒形体１Ａ，１Ｂの全体として、台木と穂木との活着面を支持するのに十分な強度を、接ぎ木する作業で必要な期間にわたって維持することができる。接ぎ木した幼苗が生長して太るにつれ、筒形体１Ａ，１Ｂの上下方向の割れ目１１は拡がるので、幼苗の生育を阻害しない。その後、割れ目１１は遂に拡がりきって幼苗から外れるので、活着後に取外す手数を不要とすることができて便宜である。
【００２６】
以上、本発明に係る二つの実施形態を詳述したが、本発明は上記実施形態に限定されるものではない。本発明は、特許請求の範囲に記載された事項を逸脱することがなければ、種々の設計変更を行うことが可能である。例えば、本発明に係る接ぎ木具の成形は、ＥＶＡによる射出成形に限定されることはない。また、その素材も特許文献１にて提案されたような分解性プラスチックとしてもよく、その素材によって得られる効果を享受することができる。また、特開２００９−１３１２３０号公報の図１等に示されているように、筒形体の外周面に、地面から立つ支柱を把持するための腕状取付部材を形成しても良いし、特開平７−１６３２３７号公報の図６等に示されているように、筒状体の外周面に、指で挟持することによって割れ目を拡開させるための一対の突起を形成しても良い。例えば、図５に示すように、筒状体１Ａの外周面に、指で挟持することによって割れ目１１を拡開させるための一対の被挟持部６を形成しても良い。
【００２７】
そして、本発明は、外周円の中心点と内周円の中心点を異ならせ、これによって先細る先端部と幅太の基部を形成する断面視略Ｃ形状の略円筒形状の弾性プラスチックを含む構成であれば、幼苗への取り付けを容易とする手段等その他の手段を適宜、付加した接ぎ木具も、その範囲に含まれるものである。
【符号の説明】
【００２８】
１Ａ，１Ｂ・筒状体（本発明）
１００・・・筒状体（従来例）
１１・・・・割れ目
２・・・・・外周面
２１・・・・外周円
２ｃ・・・・中心点
３・・・・・内周面
３１・・・・内周円
３ｃ・・・・中心点
４・・・・・先端部
５・・・・・基部
６・・・・・被把持部
ｗ・・・・・先端部の厚み
Ｗ・・・・・（基部の）最大厚
ｗ１・・・・厚み（従来例）
【図１】
2014023464.tif 000003
【図２】
2014023464.tif 000004
【図３】
2014023464.tif 000005
【図４】
2014023464.tif 000006
【図５】
2014023464.tif 000007
【図６】
2014023464.tif 000008
【図７】
2014023464.tif 000009